(57)【要約】      （修正有）【課題】時間の流れを直感的に把握し易く、しかも長期のスケジュールを俯瞰可能なスケジュール管理システムを提供する。【解決手段】カレンダーを表示するカレンダー表示手段と、スケジュールの入力を受け付けるスケジュール受付手段と、入力されたスケジュールをカレンダーに表示させるスケジュール表示手段と、を備えるスケジュール管理システムにおいて、カレンダーにおける日時を縦に、折り返すことなく一直線状に連続して表示させる日時連続表示手段と、スクロール手段と、カレンダー表示手段における時間幅を縮小して一画面中に表示する時間幅を長時間又は長期間とするとともにスケジュールを大まかに表示させる縮小表示手段と、時間幅を拡大して一画面中に表示する時間幅を短時間又は短期間するとともにスケジュールを詳細に表示させる拡大表示手段と、を備える。【選択図】図２
2017142611.tif 000002
【特許請求の範囲】
【請求項１】
日付又は時間を表示可能なカレンダーを表示するカレンダー表示手段と、
実行すべき日々のタスクと前記タスクの予定処理日時からなるスケジュールの入力を受け付けるスケジュール受付手段と、
入力された前記スケジュールを前記カレンダーに表示させるスケジュール表示手段と、を備えるスケジュール管理システムにおいて、
前記カレンダーにおける日時を縦又は横に、折り返すことなく一直線状に連続して表示させる日時連続表示手段と、
前記カレンダーの表示をスクロールして表示箇所を連続的に変更可能なスクロール手段と、
前記カレンダー表示手段における時間幅を縮小して一画面中に表示する前記時間幅を長時間又は長期間とするとともに前記スケジュールを大まかに表示させる縮小表示手段と、
前記時間幅を拡大して前記一画面中に表示する時間幅を短時間又は短期間するとともに前記スケジュールを詳細に表示させる拡大表示手段と、を備えることを特徴とするスケジュール管理システム。
【請求項２】
目標に対して互いに関連する複数の前記スケジュールをまとめてプロジェクトとして互いに紐付ける紐付手段と、
前記プロジェクトが複数存在する場合には紐付けられた前記スケジュールを前記プロジェクト毎に日時に対して並列に表示させる並列表示手段と、をさらに備えることを特徴とする請求項１に記載のスケジュール管理システム。
【請求項３】
目標に対して行うべき複数のタスクをテンプレートとして保存するテンプレート保存手段と、
ユーザーが必要に応じて前記テンプレートをダウンロードして前記テンプレートの前記複数のタスクをそのユーザーの前記カレンダーに前記プロジェクトとして反映させるテンプレート反映手段と、をさらに備えることを特徴とする請求項２に記載のスケジュール管理システム。
【請求項４】
前記プロジェクトを他のユーザーと共有する共有手段をさらに備えることを特徴とする請求項２又は３に記載のスケジュール管理システム。
【請求項５】
同一日時における前記スケジュールの重複がある場合にはその旨を表示させる重複表示手段をさらに備えることを特徴とする請求項１乃至４のうちいずれか一つに記載のスケジュール管理システム。
【発明の詳細な説明】
【技術分野】
【０００１】
本発明は、スケジュールを入力してカレンダーに表示させるスケジュール管理システムに関するものである。
【背景技術】
【０００２】
従来は手帳によりなされていた自己のスケジュール管理を、近年ではパソコンや携帯情報端末において行うユーザーが増えてきた。
これらのデジタル機器によるスケジュール管理システムでは、実行すべきタスクと、そのタスクの予定処理日時をユーザーが入力することで、一日のスケジュール一覧を表示させたときにはそのタスクの期限順にタスクが並び替えられる（例えば、特許文献１参照）。
【０００３】
このようなスケジュール管理システムによると、紙の手帳とは異なり、スケジュールがある箇所だけ目立たせることができるので、見落としを防止可能である。
また、スケジュールが入っていない時間帯の表示間隔を狭くし、一方、スケジュールが入っている時間帯の表示間隔を広くするので、スケジュールをより確認し易い。
【０００４】
また、タスク一覧を表示するデジタル機器の表示画面自体は手帳と同様にスペースが限られているが、タスク一覧画面とは異なる画面、例えば詳細情報を表示する画面に遷移することができるので、手帳に記入するよりも多くの情報を入力及び確認可能である。
【先行技術文献】
【特許文献】
【０００５】
【特許文献１】特開２００６−１３４３４３号公報
【発明の概要】
【発明が解決しようとする課題】
【０００６】
しかしながら、紙の手帳や特許文献１のスケジュール管理システムでは、月ごとの表示や一日ごとの表示となってしまい、月や日を跨ぐようなスケジュールに関しては時間の流れを直感的に把握し難いものとなっている。
また、長期のスケジュール全体を俯瞰することも難しい。
【０００７】
そこで、本発明の目的とするところは、時間の流れを直感的に把握し易く、しかも長期のスケジュールを俯瞰可能なスケジュール管理システムを提供することにある。
【課題を解決するための手段】
【０００８】
上記の目的を達成するために、本発明の請求項１に記載のスケジュール管理システム（１０）は、日付又は時間を表示可能なカレンダーを表示するカレンダー表示手段（１２）と、実行すべき日々のタスクと前記タスクの予定処理日時からなるスケジュールの入力を受け付けるスケジュール受付手段（１１）と、入力された前記スケジュールを前記カレンダーに表示させるスケジュール表示手段（１１）と、を備えるスケジュール管理システム（１０）において、前記カレンダーにおける日時を縦又は横に、折り返すことなく一直線状に連続して表示させる日時連続表示手段（１１）と、前記カレンダーの表示をスクロールして表示箇所を連続的に変更可能なスクロール手段（１１）と、前記カレンダー表示手段（１２）における時間幅を縮小して一画面中に表示する前記時間幅を長時間又は長期間とするとともに前記スケジュールを大まかに表示させる縮小表示手段（１１）と、前記時間幅を拡大して前記一画面中に表示する時間幅を短時間又は短期間するとともに前記スケジュールを詳細に表示させる拡大表示手段（１１）と、を備えることを特徴とする。
【０００９】
また、請求項２に記載のスケジュール管理システム（１０）は、目標に対して互いに関連する複数の前記スケジュールをまとめてプロジェクトとして互いに紐付ける紐付手段（１１）と、前記プロジェクトが複数存在する場合には紐付けられた前記スケジュールを前記プロジェクト毎に日時に対して並列に表示させる並列表示手段（１１）と、をさらに備えることを特徴とする。
【００１０】
また、請求項３に記載のスケジュール管理システム（１０）は、目標に対して行うべき複数のタスクをテンプレートとして保存するテンプレート保存手段と、ユーザーが必要に応じて前記テンプレートをダウンロードして前記テンプレートの前記複数のタスクをそのユーザーの前記カレンダーに前記プロジェクトとして反映させるテンプレート反映手段（１１）と、をさらに備えることを特徴とする。
【００１１】
また、請求項４に記載のスケジュール管理システムは（１０）、前記プロジェクトを他のユーザーと共有する共有手段をさらに備えることを特徴とする。
【００１２】
また、請求項５に記載のスケジュール管理システムは（１０）、同一日時における前記スケジュールの重複がある場合にはその旨を表示させる重複表示手段（１１）をさらに備えることを特徴とする。
【００１３】
ここで、上記括弧内の記号は、図面および後述する発明を実施するための形態に掲載された対応要素または対応事項を示す。
【発明の効果】
【００１４】
本発明の請求項１に記載のスケジュール管理システムによれば、カレンダーにおける日時を縦又は横に、折り返すことなく一直線状に連続して表示させる日時連続表示手段と、カレンダーの表示をスクロールして表示箇所を連続的に変更可能なスクロール手段と、を備えるので、スケジュールを連続的に一目で認識可能である。
すなわち、時間は連続的に流れており、それと同様にカレンダーにおける日時を折り返すことなく一直線状に連続して表示させるので、時間の流れを直感的に把握し易く、非常に使い易いものとなる。
また、カレンダー表示手段における時間幅を縮小して一画面中に表示する時間幅を長時間又は長期間とするとともにスケジュールを大まかに表示させる縮小表示手段を備えるので、長期のスケジュール全体を俯瞰して見ることが可能である。
【００１５】
また、請求項２に記載のスケジュール管理システムによれば、請求項１に記載の発明の作用効果に加え、目標に対して互いに関連する複数のスケジュールをまとめてプロジェクトとして互いに紐付ける紐付手段と、プロジェクトが複数存在する場合には紐付けられたスケジュールをプロジェクト毎に日時に対して並列に表示させる並列表示手段と、をさらに備えるので、タスク同士の関連性がわかり易い。
タスク同士の関連性がわかり易くなることで、今から行うタスクが全体の中の何の為の作業であるかユーザーが明確に認識できるので、ユーザーのやる気も向上する。
また、スクロール手段を備えるので、プロジェクトの数が多くなってもスクロールすることで多くのプロジェクトを表示可能であり、カレンダーがプロジェクトの表示で埋め尽くされて見にくくなり難い。
【００１６】
また、請求項３に記載のスケジュール管理システムによれば、請求項２に記載の発明の作用効果に加え、目標に対して行うべき複数のタスクをテンプレートとして保存するテンプレート保存手段と、ユーザーが必要に応じてテンプレートをダウンロードしてテンプレートの複数のタスクをそのユーザーのカレンダーにプロジェクトとして反映させるテンプレート反映手段と、をさらに備えるので、長期の計画を立てる際にその事項に対して経験が無くどんな工程があるのかわからない場合であっても、テンプレートに従ってスケジュールを入力するだけで済み、簡便である。
【００１７】
また、請求項４に記載のスケジュール管理システムによれば、請求項２又は３に記載の発明の作用効果に加え、プロジェクトを他のユーザーと共有する共有手段をさらに備えるので、他のユーザーとのスケジュール調整が容易である。
【００１８】
また、請求項５に記載のスケジュール管理システムによれば、請求項１乃至４に記載の発明の作用効果に加え、同一日時における前記スケジュールの重複がある場合にはその旨を表示させる重複表示手段をさらに備えるので、プロジェクトが多く同一日時のスケジュールを一画面中に表示できない場合であっても、スケジュールの同一日時の重複登録を避けることが可能である。
【００１９】
なお、本発明のスケジュール管理システムのように、カレンダーにおける日時を折り返すことなく一直線状に表示させる日時連続表示手段を有する点は、上述した特許文献１には全く記載されていない。
【図面の簡単な説明】
【００２０】
【図１】本発明の実施形態に係るスケジュール管理システムの電気的構成概要を示すブロック図である。
【図２】本発明の実施形態に係るスケジュール管理システムの制御部の処理を示すフローチャートである。
【図３】本発明の実施形態に係るスケジュール管理システムにおいて日ごとのスケジュールを表示させた表示画面の図である。
【図４】図３における表示よりも先のスケジュールを表示するようにスクロールさせた状態を示す表示画面の図である。
【図５】図３における表示を縮小して月ごとのスケジュールを表示させた表示画面の図である。
【図６】図３における表示を拡大して時間ごとのスケジュールを表示させた表示画面の図である。
【発明を実施するための形態】
【００２１】
図１乃至図６を参照して、本発明の実施形態に係るスケジュール管理システム１０を説明する。
このスケジュール管理システム１０は、スケジュール管理プログラム（アプリケーション）がインストールされたスマートフォン１０によって運用される。
【００２２】
まず、図１を参照して、本実施形態に係るスマートフォン１０の電気的構成概要を説明する。
スマートフォン１０は、制御部１１、タッチパネル１２、記憶部１３を備える。
制御部１１は、記憶部１３に記憶された制御プログラムに従ってシステム全体を制御するものであり、ＣＰＵ等からなる。
【００２３】
タッチパネル１２は入力部と表示画面１２を兼用しており、スケジュールの入力を受け付けるとともに、その内容を表示する。
ここでスケジュールとは、実行すべき日々のタスクとタスクの予定処理日時からなるものとする。
また、スケジュールが反映されるカレンダーとは、日付又は時間を表示可能なものを指し、例えば一画面に一日のスケジュールを表示するものや一画面に一年分のスケジュールを表示するものもカレンダーに含むものとする。
なお、本実施形態においては表示画面１２において「戻る」ボタン、ホームボタン、時計の表示等のボタンといった本発明に直接関係しないものの図への表示は省略している。
【００２４】
記憶部１３は、ＲＯＭやＲＡＭといった記憶媒体からなる。記憶部１３では、システム全体を制御する制御プログラム等が記憶される。
また、記憶部１３には、タッチパネル１２から入力されたタスクがその予定処理日時と関連付けられて記憶される。
【００２５】
次に、スマートフォン１０の制御部１１が行う制御について、図２に示すフローチャートを参照して説明する。
まず、スマートフォン１０の電源を入れた後、システムの初期化を行う（ステップＳ１０１（以下、「ステップ」という語を省略する））。
初期化には、前回スマートフォン１０の電源が落とされるときまでに記憶部１３に記憶されたタスク等の読出し及び表示や、カレンダーの表示等がある。ここでいうカレンダーの表示とは、図３に示すようにカレンダーにおける日時を縦に、折り返すことなく一直線状に連続して表示するものである。
【００２６】
また、本実施形態において制御部１１は、目標に対して互いに関連する複数のスケジュールをまとめてプロジェクトとして互いに紐付ける。
ここではプロジェクトを「結婚式」と「家を建てる」とした。プロジェクトの個数は１つでもよいし、３つ以上あってもよい。
【００２７】
そして、制御部１１は、図３に示すように同一プロジェクトにおけるタスクを帯状に繋げ、縦に配置する。「結婚式」プロジェクトにおけるこのタスクでは、ウェルカムボード搬入、親戚あいさつ、結婚式、２次会が該当する。これにより、その日にそのプロジェクトに関するタスクが無い日であっても、そのプロジェクトが終了していないことが一目でわかる。
【００２８】
また、各プロジェクトはプロジェクト毎に日時に対して並列に表示される。ここでは時間軸が縦方向であるので、プロジェクトを横に並べた。一画面中にプロジェクトが表示しきれない場合であっても、全てのプロジェクトは横に並べられ、画面を横にスクロールさせれば隠れていたプロジェクトが表示される。
【００２９】
次に、スケジュールの入力がある場合には（Ｓ１０２）、入力されたスケジュールを記憶に記憶させるとともに表示画面に表示させる（Ｓ１０３）。
ここでは一画面中に約二週間分の表示となっており、例えば１０月２５日には３件以上スケジュールが入っているが、省略されて２件のみが表示されている。省略表示の方法としては、スケジュール（項目）を間引いて重要なスケジュールだけを表示してもよいし、他には件数のみを数字で表わしてもよい。なお、図３のように表示の区切りが一日ごとになっているものを、ここでは日表示と呼ぶことにする。
Ｓ１０２でユーザーがスケジュールの入力を行わない場合には、それまでに入力されたスケジュールが反映されたカレンダーを制御部１１はそのまま表示させる（Ｓ１０３）。
【００３０】
次に、ユーザーからスクロールの指示があれば（Ｓ１０４）、制御部１１は図４に示すように表示画面における表示箇所を変更させる（Ｓ１０５）。
図４では図３で表示したものよりも先（未来）のスケジュールを表示した。もちろん、前（過去）のスケジュールを表示することもできるし、横にスクロールすることもできる。
【００３１】
次に、ユーザーから縮小の指示があれば（Ｓ１０６）、図５に示すように、制御部１１は表示画面における時間幅を縮小して一画面中に表示する時間幅を長時間又は長期間とするとともにスケジュールを大まかに表示する（Ｓ１０７）。この大まかに表示する方法は上述した省略表示の方法と同様である。
Ｓ１０６において縮小の指示が無い場合、表示はそのままにする。
ここで、図５のように表示の区切りが月ごとになっているものを月表示と呼ぶ。
【００３２】
次に、ユーザーから拡大の指示があれば（Ｓ１０８）、図６に示すように、制御部１１は時間幅を拡大して一画面中に表示する時間幅を短時間又は短期間するとともにスケジュールを詳細に表示する（Ｓ１０９）。
図６は、図３の状態から１０月２５日の内容を拡大したものである。図６のように表示の区切りが時間ごとになっているものを時間表示と呼ぶ。
【００３３】
このように、制御部１１はスケジュールの入力、スクロール指示、縮小指示、拡大指示を待つ。
その他、他の画面に遷移への指示を待っていてもよい。
【００３４】
ユーザーから縮小度合いの大きな縮小指示があるときには、時間表示から日表示を抜かして月表示としてもよく、逆に拡大度合いの大きな拡大指示があるときには、月表示から日表示を抜かして時間表示としてもよい。また、縮小や拡大の縮尺は、上述した時間表示、日表示、月表示に限るものではなく、多段階的により細かく変更及び表示できてもよい。
【００３５】
以上のように構成されたスケジュール管理システム１０によれば、制御部１１が、カレンダーにおける日時を縦に、折り返すことなく一直線状に連続して表示させ、かつカレンダーの表示をスクロールして表示箇所を連続的に変更可能であるので、スケジュールを連続的に一目で認識可能である。
すなわち、時間は連続的に流れており、それと同様にカレンダーにおける日時を折り返すことなく一直線状に連続して表示する（シームレスに表示する）ので、ユーザーは時間の流れを直感的に把握し易く、非常に使い易いものとなる。
また、制御部１１は、時間幅を縮小して一画面中に表示する時間幅を長時間又は長期間とするとともにスケジュールを大まかに表示させるので、長期のスケジュール全体を俯瞰して見ることが可能である。
【００３６】
また、制御部１１は目標に対して互いに関連する複数のスケジュールをまとめてプロジェクトとして互いに紐付け、プロジェクトが複数存在する場合には紐付けられたスケジュールをプロジェクト毎に日時に対して並列に表示するので、タスク同士の関連性がわかり易い。
このように、タスク同士の関連性がわかり易くなることで、ユーザーが今から行うタスクが全体の中の何の為の作業であるかユーザーが明確に認識できるので、ユーザーのやる気も向上する。
また、制御部１１は画面表示をスクロール可能であるので、プロジェクトの数が多くなってもスクロールすることで多くのプロジェクトを表示可能であり、カレンダーがプロジェクトの表示で埋め尽くされて見にくくなり難い。
【００３７】
なお、本実施形態において、目標に対して互いに関連する複数のスケジュールをまとめてプロジェクトとして扱ったが、これに限るものではなく、各スケジュールを時間ごとに単純に並べて表示させてもよい。
【００３８】
また、スケジュール管理システム１０はスマートフォン単独からなるものに限られない。例えば、スマートフォンと管理者のサーバーとがネットワークを介して接続されていてもよい。
このときサーバーに、目標に対して行うべき複数のタスクを管理者等がテンプレートとして保存しておくこともできる。
【００３９】
そして、ユーザーが必要に応じてテンプレートをダウンロードすると、スマートフォンの制御部１１はテンプレートの複数のタスクをそのユーザーのカレンダーにプロジェクトとして反映させる。
これにより、長期の計画を立てる際にその事項（例えば本実施形態のように結婚式や家を建てる等）に対して経験が無くどんな工程があるのかわからない場合であっても、テンプレートに従ってスケジュールを入力するだけで済み、簡便である。
このとき、例えば「税理士になる」という目標の場合、期限、すなわち税理士試験の日が決まっているので、テンプレートにおけるタスクを期限までの残りの日数に合わせて設定させる。自動で設定されたスケジュールはユーザーが適宜時間や日にちを変更可能である。
その他、例えば「家を建てる」というプロジェクトでは、テンプレートをプロジェクトとして反映させたときから現実的な日数で各工程のスケジュールが設定される。
【００４０】
さらに、スマートフォンの制御部１１又はサーバーはプロジェクトを他のユーザーを共有可能なようにしてもよい。このときも、ユーザー本人のプロジェクトの横に共有した他のユーザーのプロジェクトを並べる。
これにより、他のユーザーとのスケジュール調整が容易である。
例えば「家族の予定を共有する」や、「チームビルディング（プログラミング）」等の家族やサークル等の小規模グループで使う場合に簡便である。
【００４１】
また、サーバーからある目標に関するテンプレートをスマートフォンにダウンロードすることで、同じ目標を持つ知らない人と共有することもできる。
【００４２】
さらには、スマートフォン１０の制御部１１が、同一日時におけるスケジュールの重複がある場合にはその旨を表示するようにしてもよい。
これにより、プロジェクトが多く同一日時のスケジュールを一画面中に表示できない場合であっても、スケジュールの同一日時の重複登録を避けることが可能である。
【００４３】
また、カレンダーにおける日時を縦に、折り返すことなく一直線状に連続して表示したが、これに限られるものではなく、カレンダーにおける日時を横に、折り返すことなく一直線状に連続して表示してもよい。
【００４４】
その他、表示の細かな変更は当然あってもよく、例えばスケジュールの前にチェックボックスが表示されていてもよい。
また、スケジュールの詳細な情報、例えば場所やメモ等の画面に遷移可能なことは当然である。
【００４５】
また、本実施形態に係るスケジュール管理システム１０はスマートフォン１１で運用されるものに限られるものではなく、パソコンやタブレット端末等、その他情報端末で運用されてもよい。
【符号の説明】
【００４６】
１０      スケジュール管理システム（スマートフォン）
１１      制御部（スケジュール受付手段、スケジュール表示手段、日時連続表示手段、スクロール手段、縮小表示手段、拡大表示手段、紐付手段、並列表示手段、テンプレート反映手段、重複表示手段）
１２      タッチパネル（表示画面、カレンダー表示手段）
１３      記憶部
【図１】
2017142611.tif 000003
【図２】
2017142611.tif 000004
【図３】
2017142611.tif 000005
【図４】
2017142611.tif 000006
【図５】
2017142611.tif 000007
【図６】
2017142611.tif 000008